(57)【要約】【課題】ジャンプ前の再生位置からジャンプ後の再生位置までの時間（ジャンプ時間）を、ユーザが容易に把握可能とする。【解決手段】、ユーザがチャプタ／タイトルのジャンプ操作を行ったとき、ジャンプ前の再生位置からジャンプ後の再生位置までの時間をジャンプ時間として取得し、このジャンプ時間を、例えば、再生画像に重畳して表示する。例えば、ジャンプ時間を、数値Jumpで表示する（Ｐ２）。また、例えば、ジャンプ時間を、ディスクの総再生時間を示すバー上で、ジャンプ前の再生位置とジャンプ後の再生位置とに挟まれた領域として表示する（Ｐ３）。ユーザは、ジャンプ時間の表示により、かなりの時間（シーン）がジャンプ操作で送られた場合に、それを知ることができる。【選択図】図５
2008097765.tif 000002
【特許請求の範囲】
【請求項１】
連続した物理領域に記録されたコンテンツの再生単位であるタイトル、および該タイトル内を複数に分割したときの各分割単位であるチャプタが、データ管理単位として規定されたフォーマットが採用されているディスクからデータを再生するディスク再生装置であって、
ユーザが、再生中に、上記タイトルまたは上記チャプタの送りあるいは戻しの操作であるジャンプ操作を行うユーザ操作部と、
上記ユーザ操作部により上記ジャンプ操作が行われるとき、再生位置のジャンプを実行する再生制御部と、
上記再生制御部により上記再生位置のジャンプが実行されるとき、ジャンプ前の再生位置からジャンプ後の再生位置までの時間をジャンプ時間として取得するジャンプ時間取得部と、
上記ジャンプ時間取得部で取得された上記ジャンプ時間が表示部に表示されるように制御する表示制御部と
を備えることを特徴とするディスク再生装置。
【請求項２】
上記ディスクから再生されるデータは少なくとも画像データを含み、
上記表示部は、上記画像データによる画像を表示するディスプレイであり、
上記表示制御部は、上記ジャンプ時間取得部で取得された上記ジャンプ時間を表示する表示信号を生成し、該表示信号を上記画像データに合成する
ことを特徴とする請求項１に記載のディスク再生装置。
【請求項３】
上記表示制御部は、上記表示部に、上記ジャンプ時間取得部で取得された上記ジャンプ時間が、上記ディスクの総再生時間を示すバー上で、上記ジャンプ前の再生位置と上記ジャンプ後の再生位置とに挟まれた領域として表示されるように制御する
ことを特徴とする請求項１に記載のディスク再生装置。
【請求項４】
上記表示制御部は、上記表示部に、上記ジャンプ時間取得部で取得された上記ジャンプ時間が、数値で表示されるように制御する
ことを特徴とする請求項１に記載のディスク再生装置。
【発明の詳細な説明】
【技術分野】
【０００１】
この発明は、例えばＤＶＤ(Digital Versatile Disc)等のディスクに記録されたコンテンツデータを再生するディスク再生装置に関する。詳しくは、この発明は、再生中にタイトルまたはチャプタの送りあるいは戻しの操作であるジャンプ操作が行われるとき、ジャンプ前の再生位置からジャンプ後の再生位置までの時間をジャンプ時間として取得し、このジャンプ時間を表示部に表示するように制御することにより、ユーザがジャンプ時間を容易に把握できるようにしたディスク再生装置に係るものである。
【背景技術】
【０００２】
従来、ディスク再生装置として、ＤＶＤに記録されたコンテンツデータを再生するＤＶＤ再生装置がある。ＤＶＤには、連続した物理領域に記録されたコンテンツの再生単位であるタイトル、およびこのタイトル内を複数に分割したときの各分割単位であるチャプタが、データ管理単位として規定されたフォーマットが採用されている。
【０００３】
ＤＶＤ再生装置の多くは、タイトルまたはチャプタの送りあるいは戻しの機能を有しており、瞬時に見たい場所（シーン）へ再生位置をジャンプさせることができ、ユーザにとって、非常に便利である。
【０００４】
一方、チャプタ（タイトル）の単位、区切りは、一般的に、ＤＶＤ映像制作者の意図によるため、その時間はまちまちである。また、ＤＶＤレコーダ等に代表される機器で記録されたＤＶＤでは、その機器の設定により自動的にチャプタ（タイトル）が記録されるものがあり、その時間は特別に調べないとユーザは知らないことが多い。
【０００５】
このようなＤＶＤを再生中に、タイトルまたはチャプタの送り操作が行われた場合、再生位置が瞬時に次のチャプタ（タイトル）に移るが、どれくらいのシーン、あるいは再生時間を飛ばしたのかが、瞬間的・感覚的にわかりづらい。従来のテープ記録媒体（ＶＨＳ、8mmビデオなど）の場合は、早送り、巻き戻しの時間で、どれくらいのシーン、あるいは再生時間を飛ばしたのかが、感覚的に容易に認識できていた。
【０００６】
ＤＶＤ再生装置でも、例えば、特許文献１、特許文献２等に記載されるように画面に経過時間を表示しておくことで、ジャンプ時間（どれくらいのシーン、あるいは再生時間を飛ばしたか）を知ることは可能である。
【特許文献１】特開平０６−１５０６２７号公報
【特許文献２】特開平１１−２７３３１９号公報
【発明の開示】
【発明が解決しようとする課題】
【０００７】
画面に経過時間を表示しておくことで、上述したようにジャンプ時間を知ることは可能である。しかし、ユーザ自らジャンプ前の再生位置を覚えておき、このジャンプ前の再生位置とジャンプ後の再生位置との差を求めることが必要となり、ジャンプ時間を容易に把握することは困難であり、また、画面に経過時間を表示しておくことは目障りである。
【０００８】
ユーザは、タイトルまたはチャプタの送りあるいは戻しのジャンプ操作を行った場合に、ジャンプ前の再生位置からジャンプ後の再生位置までの時間（ジャンプ時間）を把握できないとき、以下のような問題が発生する。例えば、チャプタによっては、非常に長いものもあり、ひとつのチャプタを送ったにも拘わらず、かなりの時間、あるいはシーンが送られ、見たい画面を見逃すこともあり得る。また、例えば、ひとつ前のチャプタに戻したい場合、「戻し」を２回押すが、現在タイトルの先頭のチャプタを再生しているときには、ひとつ前のタイトルの先頭チャプタへ飛び（ＤＶＤナビゲーションにも依るが）、かなりの時間（シーン）が知らない間に戻ってしまうこともある。
【０００９】
この発明の目的は、ユーザがジャンプ時間を容易に把握し得るディスク再生装置を提供することにある。
【課題を解決するための手段】
【００１０】
この発明の概念は、
連続した物理領域に記録されたコンテンツの再生単位であるタイトル、および該タイトル内を複数に分割したときの各分割単位であるチャプタが、データ管理単位として規定されたフォーマットが採用されているディスクからデータを再生するディスク再生装置であって、
ユーザが、再生中に、上記タイトルまたは上記チャプタの送りあるいは戻しの操作であるジャンプ操作を行うユーザ操作部と、
上記ユーザ操作部により上記ジャンプ操作が行われるとき、再生位置のジャンプを実行する再生制御部と、
上記再生制御部により上記再生位置のジャンプが実行されるとき、ジャンプ前の再生位置からジャンプ後の再生位置までの時間をジャンプ時間として取得するジャンプ時間取得部と、
上記ジャンプ時間取得部で取得された上記ジャンプ時間が表示部に表示されるように制御する表示制御部と
を備えることを特徴とするディスク再生装置にある。
【００１１】
この発明においては、ユーザ操作部でユーザがジャンプ操作、つまりタイトルまたはチャプタの送りあるいは戻しの操作が行われるとき、再生制御部により、再生位置のジャンプが実行される。このジャンプ実行時には、ジャンプ時間取得部において、ジャンプ前の再生位置からジャンプ後の再生位置までの時間がジャンプ時間として取得される。そして、表示制御部により、この取得されたジャンプ時間が表示部に表示されるように制御される。ジャンプ時間が表示部に表示されることで、ユーザは、ジャンプ時間を容易に把握可能となる。
【００１２】
なお、ジャンプ時間が表示される表示部は、再生画像データ（再生ビデオ信号）による画像が表示されるディスプレイ、あるいはこのディスプレイ以外の表示器が考えられる。表示部がディスプレイである場合には、ジャンプ時間を表示する表示信号が生成され、この表示信号が画像データに合成される。このようにディスプレイにジャンプ時間を表示することで、ユーザは、ジャンプ後の再生画像を見逃すことなくジャンプ時間を把握できる。
【００１３】
例えば、ジャンプ時間は、ディスクの総再生時間を示すバー上で、ジャンプ前の再生位置とジャンプ後の再生位置とに挟まれた領域として表示される。バー上で表示される場合、ユーザは、ジャンプ時間の長さを視覚的に把握でき、しかも、ディスクの総再生時間におけるジャンプ前後の再生位置を併せて確認できる。また、例えば、ジャンプ時間は、数値で表示される。数値で表示されることで、ユーザは、ジャンプ時間を正確に把握できる。
【発明の効果】
【００１４】
この発明によれば、再生中にタイトルまたはチャプタの送りあるいは戻しの操作であるジャンプ操作が行われるとき、ジャンプ前の再生位置からジャンプ後の再生位置までの時間をジャンプ時間として取得し、このジャンプ時間を表示部に表示するように制御するものであり、ユーザがジャンプ時間を容易に把握できる。
【発明を実施するための最良の形態】
【００１５】
この発明の実施の形態について説明する。図１は、実施の形態としてのＤＶＤ再生装置１００の構成を示している。ＤＶＤ再生装置１００は、制御部１０１と、操作入力部１０２と、表示器１０３とを有している。
【００１６】
制御部１０１は、装置全体の動作を制御する。この制御部１０１は、例えば、ＣＰＵ(Central Processing Unit)、ＲＯＭ(Read Only Memory)、ＲＡＭ(Random Access Memory)等を持つマイクロコンピュータにより構成されている。操作入力部１０２は、ユーザが種々の操作を入力するためのものであり、ユーザインタフェースを構成している。
【００１７】
操作入力部１０２は、例えば、操作パネル、あるいはリモコン送信機およびリモコン信号受信部等で構成されている。例えば、再生中に、ユーザが行う、ジャンプ操作（タイトルまたはチャプタの送りあるいは戻しの操作）は、この操作入力部１０２を用いて行われる。この操作入力部１０２は、制御部１０１に接続されている。表示器１０３は、例えば、蛍光表示管、液晶表示板等によって構成されている。この表示器１０３には、装置の動作状態等が表示される。この表示器１０３は、制御部１０１に接続されている。
【００１８】
また、ＤＶＤ再生装置１００は、ドライブユニット１０５と、信号処理部１０７と、ビデオエンコーダ１０８と、ＯＳＤ(On Screen Display)部１０９と、ビデオ出力端子１１０と、Ｄ／Ａ変換処理部１１１と、オーディオ出力端子１１２と、表示制御回路１１３とを有している。
【００１９】
ドライブユニット１０５は、光ピックアップ、ＲＦ回路、サーボ処理部等を備え、ＤＶＤ１０４に記録されているデータを再生する。なお、ＤＶＤ１０４には、連続した物理領域に記録されたコンテンツの再生単位であるタイトル、およびこのタイトル内を複数に分割したときの各分割単位であるチャプタが、データ管理単位として規定されたフォーマットが採用されている。また、ＤＶＤ１０４に記録されたデータには、ビデオデータやオーディオデータであるプレゼンテーションデータ（再生情報）、ナビゲーションデータ（管理情報）などが含まれている。
【００２０】
信号処理部１０７は、ドライブユニット１０５で再生されたデータに対して復調、誤り訂正処理を行うと共に、この復調、誤り訂正処理が施されたデータをビデオデータ、オーディオデータ、ナビゲーションデータ等に振り分ける。信号処理部１０７は、さらに、ビデオデータおよびオーディオデータに対して復号化処理を行って圧縮データを伸長して出力する。なお、信号処理部１０７は、ナビゲーションデータを制御部１０１に送る。制御部１０１は、このナビゲーションデータに基づいて、現在の再生位置および再生経過時間等を取得できる。
【００２１】
ビデオエンコーダ１０８は、復号化処理されたビデオデータを所定形式のビデオ信号に変換する。表示制御部１１３は、制御部１０１の制御の下、表示情報を画像に重畳するための表示信号を生成する。表示情報としては、例えば、タイトル／チャプタ番号、経過時間、残時間、ジャンプ時間などがある。ＯＳＤ部１０９は、ビデオエンコーダ１０８で得られるビデオ信号に表示制御回路１１３で生成される表示信号を合成し、合成ビデオ信号をビデオ出力端子１１０に出力する。ビデオ出力端子１１０には、ＬＣＤ(Liquid Crystal Display)、ＣＲＴ(Cathode Ray Tube)等で構成されるディスプレイ１１４が接続される。
【００２２】
Ｄ／Ａ変換処理部１１１は、信号処理部１０７で復号化処理されたオーディオデータ（デジタルデータ）をアナログオーディオ信号に変換し、オーディオ出力端子１１２に出力する。オーディオ出力端子１１２には、スピーカ１１５が接続される。
【００２３】
図１に示すＤＶＤ再生装置１００の動作を説明する。ドライブユニット１０５にＤＶＤ１０４が装着された状態で、操作入力部１０２を用いてユーザが所定のコンテンツの再生操作を行うと、当該ドライブユニット１０５では、制御部１０１の制御の下、ＤＶＤ１０４に記録されている所定のコンテンツに対応したデータが再生される。ドライブユニット１０５の再生データは信号処理部１０７に供給される。
【００２４】
信号処理部１０７では、再生データに対して復調、誤り訂正処理が行われると共に、ビデオデータ、オーディオデータ、ナビゲーションデータ等に振り分けられる。ナビゲーションデータは、信号処理部１０７から制御部１０１に供給される。また、信号処理部１０７では、ビデオデータおよびオーディオデータに対して復号化処理が行われて、圧縮データが伸長される。
【００２５】
信号処理部１０７で、復号化処理されたビデオデータはビデオエンコーダ１０８に供給される。ビデオエンコーダ１０８では、復号化処理されたビデオデータに対して所定形式のビデオ信号に変換する処理が行われる。ビデオエンコーダ１０８で得られるビデオ信号はＯＳＤ部１０９を介してビデオ出力端子１１０に出力される。したがって、このビデオ出力端子１１０に接続されているディスプレイ１１４に当該ビデオ信号が供給され、このディスプレイ１１４には当該ビデオ信号による画像（再生画像）が表示される。
【００２６】
再生時には、制御部１０１の制御により、表示制御回路１１３では、タイトル／チャプタ番号、経過時間、残時間を表示するための表示信号が生成される。この表示信号はＯＳＤ部１０９に供給され、ビデオエンコーダ１０８から出力されるビデオ信号に合成される。そのため、ビデオ出力端子１１０には、表示信号の合成されたビデオ信号が出力される。そして、ディスプレイ１１４には、再生画像にタイトル／チャプタ番号、経過時間、残時間が重畳されて表示される。例えば、このタイトル／チャプタ番号、経過時間、残時間の表示は、ユーザが操作入力部１０２で表示を行うように操作した後、所定時間だけ、あるいはユーザが操作入力部１０２で表示を止めるように操作するまで、表示される。
【００２７】
図２は、再生時の画像表示例を示している。矢印Ｐ１に示すように、タイトル番号「Title：1/2」、チャプタ番号「Chapter：1/5」、経過時間「Time=0:01:13」、残時間「Remain=1:56:24」が表示される。
【００２８】
また、信号処理部１０７において復号化処理されたオーディオデータはＤ／Ａ変換処理部１１１に供給される。Ｄ／Ａ変換処理部１１１では、復号化処理されたオーディオデータ（デジタルデータ）がアナログオーディオ信号に変換される。このアナログオーディオ信号はオーディオ出力端子１１２に出力される。したがって、このオーディオ出力端子１１２に接続されているスピーカ１１５に当該アナログオーディオ信号が供給され、このスピーカ１１５から当該アナログオーディオ信号による音声（再生音声）が出力される。
【００２９】
次に、再生中に、ユーザが操作入力部１０２でジャンプ操作（タイトルまたはチャプタの送りあるいは戻しの操作）を行った場合の動作を説明する。ユーザがジャンプ操作を行った場合、制御部１０１は、ドライブユニット１０５の光ピックアップの位置を制御し、再生位置のジャンプを実行する。この意味で、制御部１０１は、再生位置のジャンプを実行する再生制御部を構成している。
【００３０】
また、この場合、制御部１０１は、ジャンプ前の再生位置からジャンプ後の再生位置までの時間をジャンプ時間として取得し、このジャンプ時間が、ディスプレイ１１４に表示されるように制御する。すなわち、制御部１０１は、表示制御回路１１３を制御し、取得したジャンプ時間を表示する表示信号を生成させる。この表示信号はＯＳＤ部１０９に供給されてビデオ信号に合成されて出力端子１１０に出力される。この意味で、制御部１０１は、ジャンプ時間取得部および表示制御部を構成している。
【００３１】
したがって、ディスプレイ１１４には、画像に重畳されて、ジャンプ時間が表示される。例えば、このジャンプ時間の表示は、ユーザが操作入力部１０２でジャンプ操作を行った後、所定時間だけ、あるいはユーザが当該表示を止めるように操作するまで、表示される。ディスプレイ１１４に再生画像に重畳してジャンプ時間を表示することで、ユーザは、ジャンプ後の再生画像を見逃すことなく、ジャンプ時間を把握できる。
【００３２】
図３は、ジャンプ例を示している。この図３は、タイトル「Ｔ・１」のチャプタ「Ｃ・３」が再生されている状態（再生位置はＱ１）にあるとき、「送り」の操作釦が１回押されると、チャプタ「Ｃ・４」の先頭（再生位置はＱ２）にジャンプする、という例である。
【００３３】
図４は、図３のジャンプ例に対応したジャンプ時の画像表示例を示している。矢印Ｐ２に示すように、タイトル番号「T：1/2」、チャプタ番号「C：4/5」と共に、ジャンプ時間「Jump=0:03:23」が表示される。この例のように、ジャンプ時間が数値で示される場合、ユーザは、ジャンプ時間を正確に把握できる。
【００３４】
図５は、図３のジャンプ例に対応したジャンプ時の他の画像表示例を示している。図４の画像表示例と同様に、矢印Ｐ２に示すように、タイトル番号「T：1/2」、チャプタ番号「C：4/5」と共に、ジャンプ時間「Jump=0:03:23」が表示される。この図５の画像表示例では、さらに、矢印Ｐ３に示すように、ジャンプ時間がバー表示される。
【００３５】
つまり、図６に示すように、ジャンプ時間が、ディスクの総再生時間を示すバー上で、ジャンプ前の再生位置Ｑ１とジャンプ後の再生位置Ｑ２とに挟まれた領域（ジャンプ時間領域）として表示される。なお、このジャンプ時間領域は、他の領域と区別するために、色や模様が当該他の領域とは異なるようにされる。この例のように、ジャンプ時間がバー上で表示される場合、ユーザは、ジャンプ時間の長さを視覚的に把握でき、しかも、ディスクの総再生時間におけるジャンプ前後の再生位置Ｑ１，Ｑ２を併せて確認できる。
【００３６】
図７は、他のジャンプ例を示している。この図７は、タイトル「Ｔ・２」のチャプタ「Ｃ・１」が再生されている状態（再生位置はＱ３）にあるとき、「戻し」の操作釦が２回押されると、タイトル「Ｔ・１」のチャプタ「Ｃ・１」の先頭（再生位置はＱ４）にジャンプする、という例である。
【００３７】
図８は、図７のジャンプ例に対応したジャンプ時の画像表示例を示している。矢印Ｐ４に示すように、タイトル番号「T：1/2」、チャプタ番号「C：1/5」と共に、ジャンプ時間「Jump=−1:05:47」が表示される。
【００３８】
図９は、図７のジャンプ例に対応したジャンプ時の他の画像表示例を示している。図８の画像表示例と同様に、矢印Ｐ４に示すように、タイトル番号「T：1/2」、チャプタ番号「C：1/5」と共に、ジャンプ時間「Jump=−1:05:47」が表示される。この図９の画像表示例では、さらに、矢印Ｐ５に示すように、ジャンプ時間がバー表示される。つまり、ジャンプ時間が、ディスクの総再生時間を示すバー上で、ジャンプ前の再生位置Ｑ３とジャンプ後の再生位置Ｑ４とに挟まれた領域（ジャンプ領域）として表示される。
【００３９】
次に、図１０、図１１のフローチャートを参照して、ユーザのジャンプ操作時における制御部１０１の動作を説明する。
【００４０】
制御部１０１は、ステップＳＴ１で、ユーザによるタイトル／チャプタのジャンプ操作があるとき、ステップＳＴ２に移動し、信号処理部１０７から供給されるナビゲーションデータに基づいて、ジャンプ前の再生位置を示すカレント時間情報を取得する。すなわち、制御部１０１は、タイトル番号Ｔ(x)と、チャプタ番号Ｃ(x)と、タイトル経過時間Time(x)と、タイトル残時間TimeR(x)とを取得する。
【００４１】
次に、制御部１０１は、ステップＳＴ３で、ライブユニット１０５の光ピックアップ位置等を制御して、ユーザのジャンプ操作の内容に応じたチャプタ／タイトルのジャンプを実行する（図３、図７のジャンプ例参照）。
【００４２】
次に、制御部１０１は、ステップＳＴ４で、信号処理部１０７から供給されるナビゲーションデータに基づいて、ジャンプ後の再生位置を示すカレント時間情報を取得する。すなわち、制御部１０１は、タイトル番号Ｔ(y)と、チャプタ番号Ｃ(y)と、タイトル経過時間Time(y)と、タイトル残時間TimeR(y)とを取得する。
【００４３】
次に、制御部１０１は、ステップＳＴ５で、ジャンプ前の再生位置のタイトル番号Ｔ(x)とジャンプ後の再生位置のタイトル番号Ｔ(y)とが異なっているか否かを判定する。ジャンプ前後のタイトル番号が同じであるとき、つまり、同じタイトル内での再生装置の移動であるとき、制御部１０１は、ステップＳＴ６に移動し、ジャンプ時間Ｔｄを、Ｔd＝Time(y)−Time(x)の式により演算する。
【００４４】
そして、制御部１０１は、ステップＳＴ７で、表示制御回路１１３を制御して、ジャンプ時間Ｔdを表示するための表示信号を発生させ、ディスプレイ１１４に、再生画像（再生画）に重畳された状態でジャンプ時間Ｔdが表示されるようにする（図４、図５、図８、図９の画像表示例参照）。その後、制御部１０１は、ステップＳＴ８で、ジャンプ操作に伴う一連の処理を終了する。
【００４５】
また、制御部１０１は、ステップＳＴ５においてジャンプ前後のタイトル番号が異なるとき、ステップＳＴ９に移動し、｜T(x)−T(y)｜≦１であるか否か、つまり、ジャンプにより隣接したタイトル位置に移動したか否かを判定する。隣接したタイトル位置に移動したとき、制御部１０１は、ステップＳＴ１０に移動し、T(x)＞T(y)であるか否か、つまり、ジャンプが「戻し」であるか否かを判定する。
【００４６】
ジャンプが「戻し」ではなく、「送り」であるとき、制御部１０１は、ステップＳＴ１１に移動し、ジャンプ時間Ｔｄを、Ｔd＝TimeR(x)＋Time(y)の式により演算する。そして、制御部１０１は、ステップＳＴ７で、表示制御回路１１３を制御して、ジャンプ時間Ｔdを表示するための表示信号を発生させ、ディスプレイ１１４に、再生画像に重畳された状態でジャンプ時間Ｔdが表示されるようにする。その後、制御部１０１は、ステップＳＴ８で、ジャンプ操作に伴う一連の処理を終了する。
【００４７】
また、制御部１０１は、ステップＳＴ１０においてジャンプが「戻し」であるとき、ステップＳＴ１２に移動し、ジャンプ時間Ｔｄを、Ｔd＝−（Time(ｘ)＋TimeR(ｙ)）の式により演算する。そして、制御部１０１は、ステップＳＴ７で、表示制御回路１１３を制御して、ジャンプ時間Ｔdを表示するための表示信号を発生させ、ディスプレイ１１４に、再生画像に重畳された状態でジャンプ時間Ｔdが表示されるようにする。その後、制御部１０１は、ステップＳＴ８で、ジャンプ操作に伴う一連の処理を終了する。
【００４８】
また、制御部１０１は、ステップＳＴ９においてジャンプにより隣接していないタイトル位置に移動したとき、ステップＳＴ１３に移動し、T(x)＞T(y)であるか否か、つまり、ジャンプが「戻し」であるか否かを判定する。
【００４９】
ジャンプが「戻し」ではなく、「送り」であるとき、制御部１０１は、ステップＳＴ１４に移動し、ジャンプ時間Ｔｄを、Ｔd＝TimeR(x)＋Time(y)＋Σ｛TimeT(x+1),TimeT(x+2),・・・,TimeT(y-1)｝］の式により演算する。なお、ＴimeT(＊)は、タイトル総収録時間を示している。そして、制御部１０１は、ステップＳＴ７で、表示制御回路１１３を制御して、ジャンプ時間Ｔdを表示するための表示信号を発生させ、ディスプレイ１１４に、再生画像に重畳された状態でジャンプ時間Ｔdが表示されるようにする。その後、制御部１０１は、ステップＳＴ８で、ジャンプ操作に伴う一連の処理を終了する。
【００５０】
また、制御部１０１は、ステップＳＴ１３においてジャンプが「戻し」であるとき、ステップＳＴ１５に移動し、ジャンプ時間Ｔｄを、Ｔd＝−［Time(x)＋TimeＲ(y)＋Σ｛TimeT(y+1),TimeT(y+2),・・・,TimeT(x-1)｝］の式により演算する。そして、制御部１０１は、ステップＳＴ７で、表示制御回路１１３を制御して、ジャンプ時間Ｔdを表示するための表示信号を発生させ、ディスプレイ１１４に、再生画像に重畳された状態でジャンプ時間Ｔdが表示されるようにする。その後、制御部１０１は、ステップＳＴ８で、ジャンプ操作に伴う一連の処理を終了する。
【００５１】
図１に示すＤＶＤ再生装置１００においては、再生中にユーザがタイトル／チャプタのジャンプ操作を行ったとき、再生位置のジャンプが実行されると共に、ジャンプ前の再生位置からジャンプ後の再生位置までの時間がジャンプ時間Ｔdとして取得され、このジャンプ時間Ｔdがディスプレイ１１４に再生画像に重畳されて表示されるので、ユーザはジャンプ時間Ｔdを容易に把握できる。
【００５２】
そのため、ひとつのチャプタを送ったにも拘わらず、かなりの時間、あるいはシーンが送られるということもあるが、ユーザはこのような送りをジャンプ時間Ｔdの表示から知ることができ、見たい画面を見逃すということを回避できる。また、現在タイトルの先頭のチャプタを再生しているときにチャプタの戻し操作を行った場合、ひとつ前のタイトルの先頭チャプタへ再生位置が移動し、かなりの時間（シーン）が戻ってしまうこともあるが、ユーザはこのような戻りをジャンプ時間Ｔdの表示から知ることができる。
【００５３】
なお、上述実施の形態においては、ジャンプ時間Ｔdの表示をディスプレイ１１４に再生画像に重畳して行うものを示したが、ＤＶＤ再生装置１００を構成する表示器１０３に表示するか、あるいはディスプレイ１１４と表示器１０３の双方に表示するようしてもよい。また、ジャンプ時間Ｔdが一定時間を超す場合には、画像または音声によってユーザに注意を促すようにしてもよい。
【００５４】
また、上述実施の形態においては、この発明をＤＶＤ再生装置１００に適用したものを示したが、この発明は、連続した物理領域に記録されたコンテンツの再生単位であるタイトル、およびこのタイトル内を複数に分割したときの各分割単位であるチャプタが、データ管理単位として規定されたフォーマットが採用されているディスクからデータを再生するディスク再生装置に、同様に適用できることは勿論である。
【産業上の利用可能性】
【００５５】
この発明は、ユーザは、タイトルまたはチャプタの送りあるいは戻しの操作であるジャンプ操作を行った場合に、ジャンプ前の再生位置からジャンプ後の再生位置までの時間（ジャンプ時間）を容易に把握できるものであり、ＤＶＤ再生装置等に適用できる。
【図面の簡単な説明】
【００５６】
【図１】ＤＶＤ再生装置の構成を示すブロック図である。
【図２】再生時の画像表示例を示す図である。
【図３】ユーザにより操作されるジャンプ例（送り）を示す図である。
【図４】ジャンプ時（送り）の画像表示例を示す図である。
【図５】ジャンプ時（送り）の他の画像表示例を示す図である。
【図６】ジャンプ時間のバー表示を説明するための図である。
【図７】ユーザにより操作されるジャンプ例（戻し）を示す図である。
【図８】ジャンプ時（戻し）の画像表示例を示す図である。
【図９】ジャンプ時（戻し）の他の画像表示例を示す図である。
【図１０】ユーザのジャンプ操作時における制御部の動作を示すフローチャート（１／２）である。
【図１１】ユーザのジャンプ操作時における制御部の動作を示すフローチャート（２／２）である。
【符号の説明】
【００５７】
１００・・・ＤＶＤ再生装置、１０１・・・制御部、１０２・・・操作入力部、１０３・・・表示器、１０４・・・ＤＶＤ、１０５・・・ドライブユニット、１０７・・・信号処理部、１０８・・・ビデオエンコーダ、１０９・・・ＯＳＤ部、１１０・・・ビデオ出力端子、１１１・・・Ｄ／Ａ変換処理部、１１２・・・オーディオ出力端子、１１３・・・表示制御回路、１１４・・・ディスプレイ、１１５・・・スピーカ
【図１】
2008097765.tif 000003
【図３】
2008097765.tif 000004
【図６】
2008097765.tif 000005
【図７】
2008097765.tif 000006
【図１０】
2008097765.tif 000007
【図１１】
2008097765.tif 000008
【図２】
2008097765.tif 000009
【図４】
2008097765.tif 000010
【図５】
2008097765.tif 000011
【図８】
2008097765.tif 000012
【図９】
2008097765.tif 000013